(57)【要約】【課題】  異なる面積のＥＬシートでも１種類の駆動装置で発光駆動させる。【解決手段】  負荷として接続されたＥＬシート１１に駆動信号を供給して発光させるＥＬシート駆動装置１０において、ＥＬシート１１の負荷の大きさを検出するセンサ１８と、センサ１８の検出値に基づきＥＬシート１１の発光面積に対応するＥＬシート１１の共振周波数の値を求め該値を指示信号として出力する発光面積検出手段１９と、該指示信号が示す共振周波数の信号を発振する発振周波数可変型の発光周波数発振回路１５と、発光周波数発振回路１５の出力信号を所定電圧レベルにして前記駆動信号とするドライバ回路１３とを備える。【選択図】  図２
0003141947.tif 000002
【実用新案登録請求の範囲】
【請求項１】
負荷として接続されたＥＬシートに駆動信号を供給して発光させるＥＬシート駆動装置において、前記ＥＬシートの負荷の大きさを検出するセンサと、該センサの検出値に基づき前記ＥＬシートの発光面積に対応する該ＥＬシートの共振周波数の値を求め該値を指示信号として出力する発光面積検出手段と、該指示信号が示す前記共振周波数の信号を発振する発振周波数可変型の発光周波数発振回路と、該発光周波数発振回路の出力信号を所定電圧レベルにして前記駆動信号とするドライバ回路とを備えることを特徴とするＥＬシート駆動装置。
【請求項２】
前記ＥＬシートは無機ＥＬシートであることを特徴とする請求項１に記載のＥＬシート駆動装置。
【請求項３】
前記センサは前記ＥＬシートのインピーダンスから負荷の大きさを検出することを特徴とする請求項１または請求項２に記載のＥＬシート駆動装置。
【請求項４】
前記発光面積検出手段は、予め決められた測定データに基づき前記負荷の大きさに対応する前記ＥＬシートの共振周波数の値を求めることを特徴とする請求項１乃至請求項３のいずれかに記載のＥＬシート駆動装置。
【考案の詳細な説明】
【技術分野】
【０００１】
本考案はＥＬ（エレクトロルミネッセンス）シート駆動装置に係り、特に、ＥＬシートのシート面積に依存しない駆動装置に関する。
【背景技術】
【０００２】
液晶ディスプレイのバックライトや、自動販売機の表示部等にＥＬシートが用いられる様になってきている。図２は、従来のＥＬシート駆動装置の機能ブロック図である。このＥＬシート駆動装置１は、ＥＬシート２を発光させるために、フラッシング発振回路３と、フラッシング発振回路３の出力信号からＥＬシート２を発光させる周波数の信号を生成する発光周波数発振回路４とを備える。
【０００３】
ＥＬシート駆動装置１は更に、発光周波数発振回路４の出力信号を所定電圧レベルにするハイサイドドライバ５及びロウサイドドライバ６と、ハイサイドドライバ５に一端が接続されたコイル７とを備え、コイル７の他端がＥＬシート２の表面電極端子２ａに接続され、ロウサイドドライバ６がＥＬシート２の裏面電極端子２ｂに接続される。
【０００４】
ＥＬシート駆動装置１の電源系は、商用電源に接続され交流の商用電圧を整流する電源整流回路８と、電源整流回路８で整流された電圧から所定の定電圧を生成する定電圧化回路９とを備え、フラッシング発振回路３と発光周波数発振回路４は定電圧化回路９から出力される定電圧によって駆動され、両ドライバ５，６は、電源整流回路８の出力電圧によって駆動される。
【０００５】
従来のＥＬシート駆動装置１では、フラッシング発振回路３の出力信号を受けた発光周波数発振回路４が所定周波数の信号を発振する。この所定周波数は、ＥＬシート２の共振周波数に設定されており、共振周波数の信号がドライバ５，６によって所定電圧の駆動信号に変換されＥＬシート２の表面電極，裏面電極間に供給されると、ＥＬシート２は発光する。
【０００６】
ＥＬシートの駆動装置としては、従来から種々のものが提案されており、例えば下記の特許文献１，２，３等がある。
【０００７】
【特許文献１】特開平４―４８５７９号公報
【０００８】
【特許文献２】特公昭６２―１１３１４号公報
【０００９】
【特許文献３】実開平２―８０９９２号公報
【考案の開示】
【考案が解決しようとする課題】
【００１０】
ＥＬシート２を発光駆動する場合、その共振周波数の駆動信号を生成しＥＬシート２に供給する必要がある。しかし、この共振周波数は、ＥＬシート２の大きさつまり負荷の大きさによって異なってしまう。ＥＬシート２としては、例えばＡ０用紙の大きさからＡ５用紙の大きさのものがあり、夫々の大きさ毎に共振周波数が異なってしまう。
【００１１】
このため、ＥＬシート駆動装置として、ＥＬシートの大きさ毎に、発光周波数発振回路４を用意しなければならず、製造コストが嵩み、生産性が低下してしまうという問題がある。また、発光周波数発振回路の出力周波数が共振周波数からずれてしまうと、ＥＬシートが共振不能になり、この場合には、ＥＬシートから異音が発生したり異常発熱が生じ、また、エネルギの有効利用を阻害することになる。
【００１２】
本考案の目的は、種々の大きさのＥＬシートを夫々の共振周波数で発光させることができ、しかも、異音の発生や異常発熱を抑制することができるＥＬシート駆動装置を提供することにある。
【課題を解決するための手段】
【００１３】
本考案のＥＬシート駆動装置は、負荷として接続されたＥＬシートに駆動信号を供給して発光させるＥＬシート駆動装置において、前記ＥＬシートの負荷の大きさを検出するセンサと、該センサの検出値に基づき前記ＥＬシートの発光面積に対応する該ＥＬシートの共振周波数の値を求め該値を指示信号として出力する発光面積検出手段と、該指示信号が示す前記共振周波数の信号を発振する発振周波数可変型の発光周波数発振回路と、該発光周波数発振回路の出力信号を所定電圧レベルにして前記駆動信号とするドライバ回路とを備えることを特徴とする。
【００１４】
本考案のＥＬシート駆動装置の前記ＥＬシートは無機ＥＬシートであることを特徴とする。
【００１５】
本考案のＥＬシート駆動装置の前記センサは前記ＥＬシートのインピーダンスから負荷の大きさを検出することを特徴とする。
【００１６】
本考案のＥＬシート駆動装置の前記発光面積検出手段は、予め決められた測定データに基づき前記負荷の大きさに対応する前記ＥＬシートの共振周波数の値を求めることを特徴とする。
【考案の効果】
【００１７】
本考案によれば、大きさ（サイズ）の異なるＥＬシートでも１つのＥＬシート駆動装置で夫々の共振周波数による発光駆動を行うことが可能となる。
【考案を実施するための最良の形態】
【００１８】
以下、本考案の一実施形態について、図面を参照して説明する。
【００１９】
図１は、本考案の一実施形態に係るＥＬシート駆動装置の機能ブロック図である。本実施形態のＥＬシート駆動装置１０は、無機ＥＬシート１１を発光駆動するものであり、無機ＥＬシート１１の表面電極端子１１ａには、トロイダルコアを有するコイル１２の一端が接続され、コイル１２の他端にスイッチングドライバ１３が接続される。無機ＥＬシート１１の裏面電極端子１１ｂはアースに接続される。
【００２０】
無機ＥＬシート駆動装置１０は、フラッシング発振回路１４と、このフラッシング発振回路１４の出力信号を受けて所定周波数信号を発振する発光周波数発振回路１５とを備え、発光周波数発振回路１５の出力信号がスイッチングドライバ１３に印加される。
【００２１】
本実施形態の発光周波数発振回路１５は、発振周波数が可変になっており、後述する指令信号に基づいてその発振周波数を制御する構成になっている。
【００２２】
無機ＥＬシート駆動装置１０の電源系は、商用電源に接続され交流の商用電圧を整流する電源整流回路１６と、整流された電圧から所定の定電圧を生成する定電圧化回路１７とを備え、フラッシング発振回路１４，発光周波数発振回路１５と、スイッチングドライバ１３にはこれらの電源系から電源電圧が供給される。
【００２３】
本実施形態の無機ＥＬシート駆動装置１０は、更に、負荷検出センサ１８と、発光面積自動検出部１９とを備える。
【００２４】
負荷検出センサ１８は、アースと、コイル１３の入力端子（スイッチングドライバ１３とコイル１２との接続端子）との間に接続され、この駆動装置１０の負荷（コイル１２及び無機ＥＬシート１１）の大きさを、インピーダンスの値で検出する。
【００２５】
負荷の大きさは、無機ＥＬシート１１の発光面積の広さに応じた値となるため、負荷の大きさが検出されると、この検出値は、無機ＥＬシート１１の発光面積の広さを表す値となる。
【００２６】
発光面積自動検出部１９は、負荷検出センサ１８の検出値を取り込み、検出値に対応する無機ＥＬシート１１の共振周波数すなわち発光面積を後述する様に決定し、この共振周波数で発光周波数発振回路１５を発振させるべく、上記の指令信号を発光周波数発振回路１５に出力する。
【００２７】
コイル１２を含む無機ＥＬシート１１の負荷の大きさと共振周波数との関係は、予め測定され、測定値に基づいてルックアップテーブル等が作成される。発光面積自動検出部１９にはこのルックアップテーブル等が格納されており、負荷検出センサ１８の検出値でルックアップテーブルを検索し、対応する共振周波数を求め、指令信号として出力する。
【００２８】
斯かる構成のＥＬシート駆動装置１０に、任意の大きさ（面積）の無機ＥＬシート１１を取り付け、商用電源に駆動装置１０を接続する。これにより、電源系からフラッシング発振回路１４，発光周波数発振回路１５，スイッチングドライバ１３に電源電圧が供給されて夫々が動作を開始し、また、負荷検出センサ１８はコイル１２を含むＥＬシート１１の負荷の大きさを検出する。
【００２９】
この負荷検出値は、発光面積自動検出部１９に送られ、負荷に見合った共振周波数の値が指令信号として発光周波数発振回路１５に出力され、発光周波数発振回路１５は、指令された共振周波数で発振を行う。
【００３０】
スイッチングドライバ１３は、発光周波数発振回路１５から出力された周波数信号を所定電圧レベルまで昇圧し、これを駆動信号として無機ＥＬシート１１にコイル１２を介して印加する。これにより、無機ＥＬシート１１は、面発光を行うことになる。
【００３１】
この面発光は共振周波数で行われるため、共振不能時の異音の発生が回避され、また、異常発熱も回避され、エネルギの有効利用を図ることができる。
【００３２】
この様に、本実施形態のＥＬシート駆動装置は、消音型，省エネルギ型であり、且つ、サイズフリーでＥＬシートを駆動できるため、サイズ毎にＥＬシート駆動装置を製造する場合には比較して製造コストの低減を図ることが可能となる。また、ＥＬシート駆動装置の回路構成がシンプルとなり、故障率も低減する。
【図面の簡単な説明】
【００３３】
【図１】本考案の一実施形態に係るＥＬシート駆動装置の機能ブロック図である。
【図２】従来のＥＬシート駆動装置の機能ブロック図である。
【符号の説明】
【００３４】
１０  ＥＬシート駆動装置
１１  無機ＥＬシート
１１ａ，１１ｂ  ＥＬシートの電極端子
１２  コイル
１３  スイッチングドライバ
１４  フラッシング発振回路
１５  発光周波数発振回路
１６  電源整流器
１７  定電圧化回路
１８  負荷検出センサ
１９  発光面積自動検出部
【図１】
0003141947.tif 000003
【図２】
0003141947.tif 000004